(57)【要約】【課題】廃棄物を細かく破砕して減容でき、しかも、油圧モータを逆転させても破砕できる廃棄物用破砕機を提供する。【解決手段】廃棄物用破砕機１０は、開口部１ｅ、底開口部１ｆを有するフレーム１と、開口部１ｅを覆うようにして設けられ、フレーム１内に包囲され、フレーム１を平面視して、左側面板１ａと右側面板１ｂに両端支持されて回転自在に軸支され、櫛歯状の回転刃を有する１本のロータ４と、ロータ４の両端に固設され、左側面板１ａと右側面板１ｂのフレーム１に固定されてロータ４を回転駆動させる油圧モータ３，３と、櫛歯状の回転刃の相手固定刃となり、前面板１ｃと後面板１ｄにそれぞれ配設された櫛歯状の第１固定刃５、第２固定刃６とを備える。【選択図】　　　図２
2004066213.tif 000002
【特許請求の範囲】
【請求項１】
油圧ショベルのアーム先端に取り付けられ、アタッチメント式に前記油圧ショベルのバケットと交換可能な廃棄物用破砕機であって、
廃棄物投入用の開口部を有し、底面に排出用の底開口部を有するフレームと、
回転部と固定部とを有し、前記固定部が前記フレームに固定されると共に、前記回転部が軸支された油圧モータと、
前記油圧モータの回転部に両端が固定され、前記フレーム内に包囲され、円筒状の芯体の外周面に、複数列の回転刃が櫛歯状に設けられた１本のロータと、
前記ロータの各回転刃の間を閉塞するように配置され、前記フレームに固定された櫛歯状の第１固定刃及び第２固定刃と、
を備えることを特徴とする廃棄物用破砕機。
【請求項２】
前記開口部を覆うように設けられ、液圧アクチュエータとリンク機構により開閉するつかみアームを設けると共に、
前記つかみアームは、飛散防止のカバーとするために、格子状に形成されていることを特徴とする廃棄物用破砕機。
【請求項３】
前記櫛歯状の回転刃は、正回転で破砕できる正回転用切刃と、逆回転で破砕できる逆回転用切刃を備えることを特徴とする請求項１に記載の廃棄物用破砕機。
【請求項４】
前記正回転用切刃と前記逆回転用切刃は、側面視して略π字状に形成され、それぞれの切刃は根元から刃先に至るまでＲ曲線で構成され、これらの切刃が複数個配置されていることを特徴とする請求項３に記載の廃棄物用破砕機。
【請求項５】
前記櫛歯状の回転刃の各列間における刃先位置は、隣同士で１０〜６０度ずつ位相が異なることを特徴とする請求項１に記載の廃棄物用破砕機。
【請求項６】
前記回転刃が櫛歯状に複数列設けられる１本のロータにおいて、前記回転刃は、複数種の径の回転刃で構成されることを特徴とする請求項１に記載の廃棄物用破砕機。
【発明の詳細な説明】
【０００１】
【発明の属する技術分野】
本発明は、油圧ショベルのアームに取り付けられ、廃棄物を破砕して減容する廃棄物用破砕機に関する。
【０００２】
【従来の技術】
従来、油圧ショベル（パワーショベルともいう）のバケットの代わりに、破砕装置を組み込んだ破砕機を取り付けた油圧ショベルが知られている。
図６は、従来の破砕機を取り付けた油圧ショベル２０の全景を示す斜視図である。図６に示すように、油圧ショベル２０は、進退移動するトラックフレーム２１と、運転室２２、ブーム２３、アーム２４と破砕機２６から構成し、これらのアームを回動するために、ブームシリンダ２３ａ、アームシリンダ２４ａ、バケットシリンダ２５ａ、ロッド２５ｂ等が配設されている。また、破砕機２６の開口部には、被破砕物が落下しないように押え板２６ａが取り付けられている。このように、この油圧ショベル２０のバケットをアタッチメント式に破砕機２６と交換することにより、処理物をすくう、トラックへ積み込む等の一連の動作中に、砕く機能を加えることができるため、省力化が可能である。
【０００３】
これらの破砕機２６は、解体建造物、道路工事等から排出されるコンクリート塊、アスファルト塊等を手軽に破砕できるアタッチメントとして数多く提供されている（例えば、特許文献１）。図６に示すように、これらの破砕機２６は、産業廃棄物を破砕する破砕機２６として開発され、主として建造物から排出されるコンクリート塊や、アスファルト塊、瓦等の破砕ができるようになっている。
【０００４】
【特許文献１】
特開平１０−１６８９２７号公報（図２）
【０００５】
【発明が解決しようとする課題】
しかしながら、これらの破砕機を使っても、切刃の形状や構成が不適合である等から、生ごみや残飯を除く廃棄物の中で、例えば、木工家具、街路樹の枝、衣類、紙類、塩化ビニールやプラスチック建材等の破砕ができず、減容することができないという問題があった。
また、従来の破砕機２６は、廃棄物を２個の破砕軸２６ａ、２６ａの破砕刃の間を通過させて破砕する構造であるため、油圧モータを逆転させると破砕できないという問題があった。
また、従来の破砕機は、２個の破砕軸２６ａ、２６ａを有しているために、かなりの重量物となり、使い勝手が悪く、軽量化が望まれていた。
【０００６】
そこで、本発明は、このような従来の問題を解決するために創案されたものであり、廃棄物を細かく破砕して減容でき、しかも、油圧モータを逆転させても破砕できて、使い勝手がよく、かつ軽量化を図ることができる廃棄物用破砕機を提供することを課題とする。
【０００７】
【課題を解決するための手段】
前記課題を解決するために、請求項１に記載の発明に係る廃棄物用破砕機は、油圧ショベルのアーム先端に取り付けられ、アタッチメント式に前記油圧ショベルのバケットと交換可能な廃棄物用破砕機であって、廃棄物投入用の開口部を有し、底面に排出用の底開口部を有するフレームと、前記開口部を覆うように設けられ、液圧アクチュエータとリンク機構により開閉するつかみアームと、回転部と固定部とを有し、前記固定部が前記フレームに固定されると共に、前記回転部が軸支された油圧モータと、前記油圧モータの回転部に両端が固定され、前記フレーム内に包囲され、円筒状の芯体の外周面に、複数列の回転刃が櫛歯状に設けられた１本のロータと、前記ロータの各回転刃の間を閉塞するように配置され、前記フレームに固定された櫛歯状の第１固定刃及び第２固定刃とを備えることを特徴とする。
【０００８】
請求項１に記載の発明によれば、円筒状のロータの外周面に設けられた櫛歯状の回転刃を油圧モータにより回転させ、フレーム内に包囲された櫛歯状の回転刃との隙間を塞ぐように配設された第１、第２固定刃の間を通すことにより、廃棄物を細かく破砕して減容することができる。また、ロータを１本にすることにより、軽量化を図ることができる。
【０００９】
請求項２に記載の記載の発明は、前記開口部を覆うように設けられ、液圧アクチュエータとリンク機構により開閉するつかみアームを設けると共に、
前記つかみアームは、飛散防止のカバーとするために、格子状に形成されていることを特徴とする。
【００１０】
請求項２に記載の発明によれば、開口部に液圧アクチュエータとリンク機構により開閉することができるつかみアームを設けることも可能であり、これにより、廃棄物のつまみ上げや、すくい上げて自ら廃棄物用破砕機に供給することができる。また、つかみアームを格子状の骨組み構造にし、軽く、強くしたつかみアームで開口部を塞ぐことによって、破砕された廃棄物の飛散防止ができる。
【００１１】
請求項３に記載の発明は、請求項１に記載の廃棄物用破砕機であって、前記櫛歯状の回転刃は、正回転で破砕できる正回転用切刃と、逆回転で破砕できる逆回転用切刃を備えることを特徴とする。
【００１２】
請求項３に記載の発明によれば、正逆回転に対応できるように２方向の切刃を備えたことにより、油圧モータを逆回転させた場合であっても破砕が可能である。また、詰まりが生じた際に油圧モータを逆回転させた場合であっても破砕することができるため、能率を向上させることができる。
【００１３】
請求項４に記載の発明は、請求項３に記載の廃棄物用破砕機であって、　前記正回転用切刃と前記逆回転用切刃は、側面視して略π字状に形成され、それぞれの切刃は根元から刃先に至るまでＲ曲線で構成され、これらの切刃が複数個配置されていることを特徴とする。
【００１４】
請求項４に記載の発明によれば、それぞれの切刃は、根元から刃先に至るまでＲ加工を施したことにより応力の集中をさけ、応力の分散を図ったことにより切刃及び切刃基部の剛性を向上させると共に、Ｒ加工により、切刃の成形を容易にし、スムーズな処理物の排出を容易にすることができる。
【００１５】
請求項５に記載の発明は、請求項１に記載の廃棄物用破砕機であって、前記櫛歯状の回転刃の各列間における刃先位置は、隣同士で１０〜６０度ずつ位相が異なることを特徴とする。
【００１６】
請求項５に記載の発明によれば、櫛歯状の回転刃の隣接する列同士の刃先位置を１０〜６０度ずつ位相を変えることにより、廃棄物の破砕をする際の油圧モータに対する負荷変動を平準化し、目詰まり回数を低減することができる。
【００１７】
請求項６に記載の発明は、請求項１に記載の廃棄物用破砕機であって、前記回転刃が櫛歯状に複数列設けられる１本のロータにおいて、前記回転刃は、複数種の径の回転刃で構成されることを特徴とする。
【００１８】
請求項６に記載の発明によれば、櫛歯状の回転刃は、複数種の直径の回転刃で構成することにより、廃棄物等の多様な材質、多様な性状に柔軟（フレキシブル）に対応することができる。
【００１９】
【発明の実施の形態】
次に、本発明の一実施形態について、図を参照しながら詳細に説明する。
図１は、本発明に係る廃棄物用破砕機１０を示す３面図であり、図１（ａ）は平面図、図１（ｂ）はつかみアームを取り付けた状態での平面図、図１（ｃ）は正面図、図１（ｄ）はつかみアームを取り付けた状態での右側側面図である。
図２は、図１（ｃ）に示すＡ−Ａ線の拡大断面図である。
図１に示すように、本発明の廃棄物用破砕機（以下、破砕機という）１０は、油圧ショベル２０のアーム２４の先端にある２本のピン９を抜き取って、破砕機２６と破砕機１０と付け代えたものである。
廃棄物用破砕機１０は、フレーム１と、つかみアーム２と、油圧モータ３、３（図２参照）と、櫛歯状の回転刃を有する１本のロータ４と、櫛歯状の固定刃５、６とから構成されている。
【００２０】
図１（ｃ）に示すように、フレーム１の前面板１ｃには、廃棄物をすくいやすくするためにツース（歯）８に平板（プレート）８ａが固定されている。
図１（ｄ）に示すように、フレーム１は、外観上はバケットに酷似しており、その開口部１ｅは、略四角形に形成され、その底板には底開口部１ｆがあり、破砕された被破砕物（以下、処理物という）が底開口部１ｆからトラックの荷台上等へ排出されるようになっている。
【００２１】
つかみアーム２は、つかみアーム２の本体と、２本の油圧シリンダ２ａと、回転軸のピン２ｂとリンク２ｃとから構成されたリンク機構を形成している。
図１（ａ）、（ｄ）に示すように、つかみアーム２は、廃棄物の投入口となる開口部１ｅを覆うように設けられ、格子状の骨組みをしたフレーム構造をしている。
液圧アクチュエータは、ここでは油圧シリンダ２ａである。油圧シリンダ２ａが左右の側面に配設されており、つかみアーム本体２の後端部を形成するリンク２ｃの先端のクレビス部２ｄに油圧シリンダのロッドが接続されている。一度クレビス部２ｄに油圧シリンダのロッドによる駆動力が発生すると、軸支されたピン２ｂを回動中心として回動し、リンク機構により任意につかみアーム２を開閉する。
【００２２】
また、破砕機１０を使用する場合、処理場内は平地が多く、平地の地面と平行に動かして廃棄物をすくおうとしても、十分に廃棄物を破砕機１０内にすくうことが困難であるため、油圧シリンダ２ａ、２ａによるつかみアーム２を設け、前記つかみアーム２の開閉を行うことにより、十分な廃棄物を破砕機１０内にすくうことができる。
なお、つかみアーム２の開閉は、１本の油圧シリンダまたは空圧シリンダであってもよいし、破砕機１０内の中央部に１本取り付けても構わない。
【００２３】
図４は、つかみアーム２の使用例を説明する説明図であり、（ａ）は水平置きにした様子を示し、（ｂ）は反転して廃棄物をすくっている状態を示し、（ｃ）は廃棄物を掻き込み、つかみ終えた状態を示す図である。
図４（ａ）に示すように、破砕機１０を水平置きにして、つかみアーム２を開く。そして、図４（ｂ）、（ｃ）に示すように、破砕機１０をバケットシリンダ２５ａのロッド２５ｂを引っ込めて短縮することにより破砕機１０を反転させ、平板８ａを地面に水平に置き、破砕機１０を引きずるようにして廃棄物をすくいながら、つかみアーム２を閉じることによって、従来できなかったすくいとつかみとを同時に行うことができるため、効率的な作業が可能である。
【００２４】
また、今まで比較的軽量物の廃棄物を処理する際、廃棄物が回転刃に噛み込まず踊ってしまい破砕処理するのに時間を要したが、開口部をつかみアーム２にて塞ぐことができるため、軽量な廃棄物でも押圧し、強制的にかみこませることができるため、効率的な破砕作業ができる。
さらに、つかみアーム２は、格子状になっているため、軽く、且つ剛性があり、塩化ビニール管や硬質プラスチック等を処理する際に、破砕物、粉砕物が飛散するのを防止することができるほか、上から覗くことによって、今までのように、処理状況が目視で確認できる。
なお、格子状の間隔は、開口部を小さくした網目状であってもよいし、スケルトン形状にしても構わない。
また、今まで比較的軽量物の廃棄物を処理する際、回転刃に噛み込まず、踊ってしまうため、破砕処理するのに時間を要したが、つかみアーム２にて押圧することができるため、効率的な破砕作業ができる。
さらに、つかみアーム２は、格子状になっているため、軽く、且つ剛性があり、塩化ビニール管や硬質プラスチック等を処理する際に、破砕物、粉砕物が飛散するのを防止することができるほか、上から覗くことによって、今までのように、処理状況が目視で確認できる。
【００２５】
図２は、図１（ｃ）に示すＡ−Ａ線の拡大断面図である。図２に示すように、油圧モータ３、３は、固定部と回転部から構成され、固定部は、フレーム１の左側面板１ａと右側面板１ｂのそれぞれに固定されている。フレーム１の左側面板１ａと右側面板１ｂを通すロータ軸４ｓは、２つの油圧モータ３、３の軸と一致しており、ロータ４を回転駆動させる。油圧モータ３、３には、油圧駆動装置（図示せず）から高圧の油圧が供給されるため、Ｐ、Ｔポートから高圧の油圧ホース３ａ、３ａが接続されている。また、油圧モータ３，３の固定部には、フレーム１に固定するためのフランジ部が形成されており、回転部にはロータ４を固定するためのフランジ部３ｂ、３ｂが形成されている。
また、油圧モータ３、３は、ロータ４の両端円筒部内にこの回転部の大半を挿入して配置されているため、ロータ４の内部空間を有効利用すると共に、フレーム１の左側面板１ａと右側面板１ｂから油圧モータ３、３が大きく突出しないため、処理物をすくう時に、他の処理物との干渉を極力抑えた形状に構成することができる。
【００２６】
ロータ４は、両端にハウジング部が形成されており、このハウジング部が油圧モータ３のフランジ部３ｂに当接し、ボルト３ｃ、３ｃ、…により螺着されている。その結果、ロータ４は、油圧モータ３の回転部により回転自在に軸支される。ロータ４の本体は円筒形であり、筒状の外周面には櫛歯状に、円板形状の素材から成形された回転刃４ａ、４ｂ、４ｃ、４ｄ、４ｅ、４ｆ、４ｇ、４ｈ、４ｉ、４ｊ、４ｋ、４ｌ、４ｍが１３列、溶接され一体となっている。
【００２７】
櫛歯状の第１、第２固定刃５、６は、フレーム１の２つの対向面である前面板１ｃ、後面板１ｄにそれぞれ配設されている。櫛歯状の回転刃４ａ、４ｂ、…４ｍの相手刃として、フレーム１の前面板１ｃには、櫛歯状の第１固定刃５が配設されており、第１固定刃５ａ、５ｂ、…５ｌの１２列が配置、固定されている。
さらに、フレーム１の後面板１ｄには、櫛歯状の第２固定刃６が配設されており、櫛歯状の第２固定刃６ａ、６ｂ、…６ｌの１２列が同様に固定されている。これらの第１、第２固定刃５、６は、回転刃４ａ、４ｂ、…４ｍの正回転時のみならず、回転刃４ａ、４ｂ、…４ｍの逆回転時であっても同様に回転刃４ａ、４ｂ、…４ｍの相手のカッターとして機能するように配置されている。例えば、櫛歯状の回転刃４ｃには、櫛歯状の第１固定刃５ｂ、５ｃと、櫛歯状の第２固定刃６ｂ、６ｃとが対応する。
【００２８】
図３（ａ）は、図１（ｃ）に示すＢ−Ｂ線の拡大断面図であり、図３（ｂ）、（ｃ）は、図３（ａ）に示す櫛歯状の小回転刃、大回転刃の詳細図である。図３（ａ）に示すように、櫛歯状の小回転刃４ｈは、図３（ｂ）に示すような回転刃を形成しており、櫛歯状の大回転刃４ｋは、図３（ｃ）に示すような大径の回転刃を有している。大径の回転刃４ｋと同様の回転刃は、図２に示すように、４ｃ、４ｇ、４ｋであり、その他の４ａ、４ｂ、４ｄ、４ｅ、４ｆ、４ｈ、４ｉ、４ｊ、４ｌ、４ｍからなる１０列は、図３（ｂ）に示す小回転刃で構成されている。これらの大小回転刃は、図３（ｂ）、（ｃ）に示すように、１列（１枚の回転刃）に着目すると、４枚の切刃で構成されており、図３（ａ）に示すように、刃先位置は、１０〜６０度ずつ位相がずれて配設されている。例えば、ここでは２度ずつ、位相をずらして配設されている。
これらの回転刃４ａ、４ｂ、…４ｍは、フレーム１から露出することなく本体フレーム１内に包囲されている。
【００２９】
図３（ｂ）、（ｃ）に示すように、櫛歯状の小回転刃４ｈ、大回転刃４ｋは、例えば、４等配に配設された４枚のカッターｎ、ｏ、ｐ、ｑにより構成され、正回転、逆回転に対応できるように２方向の切刃Ｃ１、Ｃ２を有しており、逆回転時であっても廃棄物を破砕することができる。
また、各カッターｎ、ｏ、ｐ、ｑの切刃の形状は、略π字状に形成されており、切刃Ｃ１、Ｃ２は鋭角で成形されている。また、それぞれの切刃Ｃ１、Ｃ２は、根元から刃先に向かってＲ加工を施し応力の集中をさけ、応力の分散を図ったことにより切刃の剛性のアップを図り、かつ、Ｒ加工により、切刃の成形を容易にし、スムーズな処理物の排出を容易にすることができる。
なお、この大回転刃４ｋでは、２枚のカッターｎ、ｐは小回転刃であり、他の２枚のカッターｏ、ｑは大回転刃であるが、４枚とも大回転刃にしてもよい。
【００３０】
ここで、廃棄物の中から、木工家具類の破砕を例にして、廃棄物用破砕機１０の動作について図１〜６を参照して説明する。図５は、破砕機１０の斜視図である。
まず、事前準備として油圧ショベル２０（図６参照）のピン９，９を抜き、バケットを取り外し、バケットの代わりにつかみアーム付き仕様の廃棄物用破砕機１０に交換する。廃棄物集積場の家具類置き場に集められた家具類、例えば、木机や椅子、下駄箱、本棚、タンス等は、ガラス引き戸等を取り外した後、油圧ショベル２０のアームシリンダ２４ａ、バケットシリンダ２５ａ等（図６参照）の伸縮と廃棄物用破砕機１０のツース（歯）８に固定された平板（プレート）８ａにより、家具をすくい上げ、家具の向きや方向、姿勢を変える。そして、フレーム１の左右側面板１ａ、１ｂ（図２参照）の端面や底開口部１ｆにより家具を打撃し、家具を押し潰し、踏み潰して、木片（パーツ）に分解する。さらに、従来のバケット操作のように、パーツに分解した家具をすくい、つかみ上げ（図４（ｃ）参照）、図４（ａ）の姿勢に戻しながら、例えば、トラックの荷台上に移動する。運転室に新たに設けられた油圧モータ３，３の正回転、逆回転用操作ペダル（図示せず）によりロータ４を回転駆動する。図２に示すように、ロータ４の外周に形成された櫛歯状の回転刃４ａ、４ｂ、…４ｍが、第１固定刃５ａ、５ｂ、…５ｌと第２固定刃６ａ、６ｂ、…６ｌによりパーツ化した家具を切刃Ｃ１により切削、切断、破砕して細かな木屑にする。このとき、つかみアーム２は、閉鎖され、飛散防止用のカバーとなる。そして、廃棄物用破砕機１０による破砕物は、トラックの荷台上に移動して排出させる。一方、目詰まりが発生すると、すかさず逆回転させて、目詰まりした処理物は、反対向きに設けられた切刃Ｃ２により切削、切断、破砕される。このように、本発明の廃棄物用破砕機１０の一連の動作によって減容され、トラックへの積み込みが効率よくできる。
【００３１】
なお、本発明はその技術思想の範囲内で種々の改造、変更が可能であり、本発明はこの改造、変更された発明にも及ぶことは当然である。たとえば、櫛歯状の回転刃４ａ、４ｂ、…４ｍの直径は、例えば、大小の２種類に限定されるものではなく、大中小の３種類、またはそれ以上の組み合わせであっても構わない。
また、側面視して人の手に喩えれば、つかみアーム２は、人差し指に相当し、フレーム１が親指に相当する。この両者によって、廃棄物を容易につかむ（掴む）ことができる。
【００３２】
【発明の効果】
請求項１に記載の発明によれば、円筒状のロータの外周面に設けられた櫛歯状の回転刃を油圧モータにより回転させ、フレーム内に包囲された櫛歯状の回転刃との隙間を塞ぐように配設された第１、第２固定刃の間を通すことにより、廃棄物を細かく破砕して減容することができる。また、ロータを１本にすることにより、軽量化を図ることができる。
【００３３】
請求項２に記載の発明によれば、開口部に液圧アクチュエータとリンク機構により開閉することができるつかみアームを設けることも可能であり、これにより、廃棄物のつまみ上げや、すくい上げて自ら廃棄物用破砕機に供給することができる。また、つかみアームを格子状の骨組み構造にし、軽く、強くしたつかみアームで開口部を塞ぐことによって、破砕された廃棄物の飛散防止ができる。
【００３４】
請求項３に記載の発明によれば、正逆回転に対応できるように２方向の切刃を備えたことにより、油圧モータを逆回転させた場合であっても破砕が可能である。また、詰まりが生じた際に油圧モータを逆回転させた場合であっても破砕することができるため、能率を向上させることができる。
【００３５】
請求項４に記載の発明によれば、それぞれの切刃は、根元から刃先に至るまでＲ加工を施したことにより応力の集中をさけ、応力の分散を図ったことにより切刃及び切刃基部の剛性を向上させると共に、Ｒ加工により、切刃の成形を容易にし、スムーズな処理物の排出を容易にすることができる。
【００３６】
請求項５に記載の発明によれば、櫛歯状の回転刃の隣接する列同士の刃先位置を１０〜６０度ずつ位相を変えることにより、廃棄物の破砕をする際の油圧モータに対する負荷変動を平準化し、目詰まり回数を低減することができる。
【００３７】
請求項６に記載の発明によれば、櫛歯状の回転刃は、複数種の直径の回転刃で構成することにより、廃棄物等の多様な材質、多様な性状に柔軟（フレキシブル）に対応することができる。
【図面の簡単な説明】
【図１】本発明に係る廃棄物用破砕機を示す３面図であり、（ａ）は平面図、（ｂ）は、つかみアームを取り付けた状態での平面図、（ｃ）は正面図、（ｄ）は、つかみアームを取り付けた状態での右側側面図である。
【図２】図１（ｃ）に示すＡ−Ａ線の拡大断面図である。
【図３】（ａ）は、図１（ｃ）に示すＢ−Ｂ線の拡大断面図であり、（ｂ）、（ｃ）は、（ａ）に示す櫛歯状の小回転刃、大回転刃の形状を示す詳細図である。
【図４】つかみアームの使用例を説明する説明図であり、（ａ）は水平置きにした様子を示し、（ｂ）は反転して廃棄物をすくっている状態を示し、（ｃ）は廃棄物を掻き込み、つかみ終えた状態を示す図である。
【図５】実施の形態に示す破砕機の斜視図である。
【図６】従来の油圧ショベルに搭載した破砕機の全景を示す斜視図である。
【符号の説明】
１　　フレーム
１ａ　左側面板
１ｂ　右側面板
１ｃ　前面板
１ｄ　後面板
１ｅ　開口部
１ｆ　底開口部
２　　つかみアーム
２ａ　油圧シリンダ
２ｂ　ピン
２ｃ　リンク
２ｄ　クレビス部
３　　油圧モータ
３ａ　油圧ホース
３ｂ　フランジ部
３ｃ　ボルト
４　　ロータ
４ａ、４ｂ、…４ｍ　回転刃
４ｓ　ロータ軸
５、５ａ、５ｂ、…５ｌ　第１固定刃
６、６ａ、６ｂ、…６ｌ　第２固定刃
８　　ツース
８ａ　平板（プレート）
９　　ピン
１０　廃棄物用破砕機
Ｃ１、Ｃ２　切刃
ｎ、ｏ、ｐ、ｑ　カッター
【図１】
2004066213.tif 000003
【図２】
2004066213.tif 000004
【図３】
2004066213.tif 000005
【図４】
2004066213.tif 000006
【図５】
2004066213.tif 000007
【図６】
2004066213.tif 000008